(57)【特許請求の範囲】
【請求項１】
筆記具カートリッジの筆記先端部の出し入れを行う筆記具機構において、
カートリッジを収容するように内部が形成されていると共に、筆記先端部の出し入れを行うために前記カートリッジが移動可能な端部を有する一部材の平滑な合成材による中空のアンカーブシュと、
前記カートリッジを収容するように内部が形成されていると共に、対向する両端部を持つ螺旋溝が外周に形成された大径部を含む一部材の平滑な合成材による中空のカートリッジシャトルと、
前記カートリッジを前記アンカーブシュ内で軸方向に移動させるよう前記カートリッジを前記カートリッジシャトルに固定させる前記カートリッジシャトル上のカートリッジ固定手段と、
前記アンカーブシュと前記カートリッジシャトルとを回転せずに軸方向に係合させる前記アンカーブシュと前記カートリッジシャトルとの間の結合手段と、
前記アンカーブシュとの間で相対回転を生じさせながら前記アンカーブシュに軸方向に固定させるよう前記アンカーブシュの周囲に係合され、前記アンカーブシュの周囲で回転したときに、前記アンカーブシュ内で前記カートリッジシャトルを軸方向に移動させるよう前記カートリッジシャトルの前記大径部の前記螺旋溝に係合した内部螺旋部を有する中空の駆動部と、
前記カートリッジを引き込ませるときに前記カートリッジシャトルが当接して止まる前記駆動部内の内部環状リッジと、
前記駆動部から軸方向に離れるよう前記アンカーブシュを押し付ける前記アンカーブシュと前記駆動部との間の偏倚手段とを具備することを特徴とする筆記具機構。
【請求項２】
前記カートリッジシャトルが前記結合手段の一部を備える小径部と、前記大径部に隣接し前記カートリッジシャトルの小径部と同じ側に位置する中径部とを含み、前記偏倚手段が前記小径部の周囲との間に隙間を有するバネから成ることを特徴とする請求項１記載の筆記具機構。
【請求項３】
前記結合手段は、不良の無い前記カートリッジシャトルを成形し、また前記小径部周囲及び前記駆動部内に前記バネを挿入する差し入れ操作を容易にするため、前記一部材のカートリッジシャトルの非円形前部と前記中径部のテーパ状肩部を含むことを特徴とする請求項２記載の筆記具機構。
【請求項４】
前記駆動部が金属で形成され、前記駆動部の大径部と、該大径部に該大径部の直径の値に極めて近い直径を有すると共に前記駆動部の内側に隆起する環状リッジとを備えることを特徴とする請求項３記載の筆記具機構。
【請求項５】
前記駆動部が金属で形成され、また前記カートリッジシャトルの小径部に隣接して、前記バネの一端が対向して係合される内部改造領域を備えることを特徴とする請求項３記載の筆記具機構。
【請求項６】
前記内部改造領域は環状リッジであり、また前記アンカーブシュに対して前記駆動部を軸方向に固定させながら前記駆動部を回転可能に前記アンカーブシュに取り付けるために、前記アンカーブシュが環状溝を有し、前記駆動部が前記環状溝内に係合した環状リッジを有することを特徴とする請求項５記載の筆記具機構。
【請求項７】
前記バネの他端部と前記アンカーブシュとの間に係合されるワッシャを備えることを特徴とする請求項６記載の筆記具機構。
【請求項８】
不良のないカートリッジシャトルを得るために、前記大径部と前記中径部との間に第３のテーパ状肩部を備えることを特徴とする請求項６記載の筆記具機構。
【請求項９】
前記カートリッジ固定手段が、前記カートリッジの後端部のネジを係合させて前記カートリッジを前記カートリッジシャトルに固定させるために、前記カートリッジシャトルの後部の比較的小径の部分に内部ネジから成ることを特徴とする請求項６記載の筆記具機構。
【請求項１０】
前記アンカーブシュが一端に内部ネジを備え、前記アンカーブシュの一端の内部ネジに固定され、前記カートリッジの筆記先端部の出し入れが内部で行われる中空の筆記具先端部を備えることを特徴とする請求項９記載の筆記具機構。
【請求項１１】
前記アンカーブシュの周辺に係合され、前記筆記具先端部によって前記アンカーブシュに保持されるペン胴部を備えることを特徴とする請求項１０記載の筆記具機構。
【請求項１２】
前記内部螺旋部が前記駆動部周囲に延設され、また前記螺旋溝が傾斜側面を有し、前記カートリッジシャトルの大径部周囲に延設されていることを特徴とする請求項１記載の筆記具機構。
【請求項１３】
前記偏倚手段は、前記駆動部と前記アンカーブシュとの間に係合し、折り畳まれた少なくとも１つの中間コイルを有するバネから成ることを特徴とする請求項１記載の筆記具機構。
【請求項１４】
前記駆動部が前記バネの一端部に係合する環状リッジを備え、前記バネの他端部は前記アンカーブシュに係合し、対向する２つの端部はバネを折り畳んだコイルとされていることを特徴とする請求項１３記載の筆記具機構。
【請求項１５】
内部螺旋部と大径部に極めて近い径の内部環状リッジとを備える中空の駆動部を設ける段階と、
最初に前記駆動部に入れられる後部の比較的小径の端部と、カートリッジを引っ込める際にカートリッジシャトルが当接して止まる肩部によって前記後部から分離されている大径部と、前記内部螺旋部と係合する大径部周囲の螺旋溝とを備え、また前記螺旋溝に減衰流体を塗布した一部材の平滑な合成材による中空のカートリッジシャトルを、前記中空の駆動部の内側に差し入れて係合させる段階と、
バネを保持する前記駆動部周囲の環状リッジを形成する段階と、
バネを前記駆動部内部と前記カートリッジシャトル周辺に差し入れる段階と、  環状溝を有する一部材の平滑な合成材による中空のアンカーブシュを前記駆動部に差し入れ、また前記シャトルに係合させる段階と、
前記アンカーブシュを前記駆動部に回転可能に載置しまた軸方向に固着させるよう、他のリッジを前記駆動部及び前記アンカーブシュの前記環状溝内に形成する段階とで構成されることを特徴とする前記カートリッジの筆記先端部の出し入れを行う筆記具の組立方法。
【請求項１６】
前記アンカーブシュと前記カートリッジシャトルとを回転せずに軸方向に係合させるよう前記アンカーブシュの後方内部多角部を係合させる前方多角部を備えるカートリッジシャトルの小径部に、前記バネの内径との間の隙間を設ける段階と、不良の無いカートリッジシャトルを製造し、また前記バネの差し入れを容易にするために、前記カートリッジシャトルの中径部と前記前方多角部との間に第２テーパ状肩部を設ける段階とを更に備えることを特徴とする請求項１５記載の筆記具の組立方法。
【請求項１７】
前記駆動部に前記アンカーブシュを差し入れる前に前記バネと前記アンカーブシュとの間にワッシャを配置するために、前記駆動部にワッシャを差し入れる段階を含むことを特徴とする請求項１６記載の筆記具の組立方法。
【請求項１８】
前記カートリッジシャトルを前記駆動部へ差し入れた後に前記内部螺旋部上へ前記螺旋溝を係合するために、前記カートリッジシャトルを回転させる段階を含むことを特徴とする請求項１５記載の筆記具の組立方法。
【発明の詳細な説明】
【０００１】
【発明の属する技術分野】
本発明は、一般に筆記具機構に関連し、特に例えばボールペンの筆記部の出し入れを行う新しく便利な四部分（４パーツ）機構に関連する。
【０００２】
【従来の技術】
現在、本出願の譲受人であるエイ．ティ．クロス  カンパニー（Ａ．Ｔ．Ｃｒｏｓｓ  Ｃｏｍｐａｎｙ）は、１１〜１２部分・パーツの内部機構を用いる非常に人気のあるボールペンの製造及び販売を行っている。しかし同様の機能を有する機構を構成するのに使用される部品の数を減らし、同時に自動組立が可能となるよう部品を適合させることができれば有益である。
【０００３】
また、部品数の少ない簡素化されたボールペン機構は、Ｅｌｌｅｒｙ  Ｂｏｓｓ氏発明及びＡ．Ｔ．Ｃｒｏｓｓ社所有の米国特許２，７５３，８４４で知られている。しかし、１９５４年提出の出願によるＢｏｓｓ氏の特許は、金属部品を広範囲に使用しており、また最近の合成材料は使われていない。また、現在普及している機械化は当時存在していなかったため、機構の部品も手作業で組み立てられるよう構成及び形にされている。
【０００４】
【発明が解決しようとする課題】
本発明は、最小の部品を用い、自動組立に適した筆記部の出し入れを行う簡素化された機構を提供することを目的とする。各部品の材料も、他の部品に対してどの部品が可動であるかを考慮しながら、材料独自の特性によって選択されている。材料を選択しまた組み合わせることにより、潤滑剤注入の必要が実質的になくなり、また摩耗も減少する。しかしながら、なめらかな感触と静かな操作を得るためには、粘性減衰流体が必要である。これにより、機構の寿命は著しく長くなる。
【０００５】
本発明の他の目的は、各部品の形状及び材質を十分に利用した自動手順における機構の部品組立方法を提供することにある。
【０００６】
【課題を解決するための手段】
かかる目的を達成するため、本発明の筆記具機構は、筆記具カートリッジの筆記先端部の出し入れを行う筆記具機構において、カートリッジを収容するように内部が形成されていると共に、筆記先端部の出し入れを行うためにカートリッジが移動可能な端部を有する一部材の平滑な合成材による中空のアンカーブシュと、カートリッジを収容するように内部が形成されていると共に、対向する両端部を持つ螺旋溝が外周に形成された大径部を含む一部材の平滑な合成材による中空のカートリッジシャトルと、カートリッジを前記アンカーブシュ内で軸方向に移動させるようカートリッジをカートリッジシャトルに固定させるカートリッジシャトル上のカートリッジ固定手段と、アンカーブシュとカートリッジシャトルとを回転せずに軸方向に係合させるアンカーブシュとカートリッジシャトルとの間の結合手段と、アンカーブシュとの間で相対回転を生じさせながらアンカーブシュに軸方向に固定させるようアンカーブシュの周囲に係合され、アンカーブシュの周囲で回転したときに、アンカーブシュ内でカートリッジシャトルを軸方向に移動させるようカートリッジシャトルの大径部の前記螺旋溝に係合した内部螺旋部を有する中空の駆動部と、カートリッジを引き込ませるときにカートリッジシャトルが当接して止まる駆動部内の内部環状リッジと、駆動部から軸方向に離れるようアンカーブシュを押し付けるアンカーブシュと駆動部との間の偏倚手段とを具備するようにしている。
【０００７】
また、本発明は、カートリッジシャトルが結合手段の一部を備える小径部と、大径部に隣接しカートリッジシャトルの小径部と同じ側に位置する中径部とを含み、偏倚手段が小径部の周囲との間に隙間を有するバネから成ることを特徴としている。
【０００８】
また、本発明は、結合手段が不良の無いカートリッジシャトルを成形し、また小径部周囲及び駆動部内にバネを挿入する差し入れ操作を容易にするため、一部材のカートリッジシャトルの非円形前部と中径部のテーパ状肩部を含むことを特徴としている。
【０００９】
また、本発明は、駆動部が金属で形成され、該駆動部の大径部と、該大径部に該大径部の直径の値に極めて近い直径を有すると共に駆動部の内側に隆起する環状リッジとを備えることを特徴としている。
【００１０】
また、本発明は、駆動部が金属で形成され、またカートリッジシャトルの小径部に隣接して、バネの一端が対向して係合される内部改造領域を備えることを特徴としている。
【００１１】
また、本発明は、内部改造領域は環状リッジであり、またアンカーブシュに対して駆動部を軸方向に固定させながら駆動部を回転可能に前記アンカーブシュに取り付けるために、アンカーブシュが環状溝を有し、駆動部が環状溝内に係合した環状リッジを有することを特徴としている。
【００１２】
また、本発明は、バネの他端部とアンカーブシュとの間に係合されるワッシャを備えることを特徴としている。
【００１３】
また、本発明は、不良のないカートリッジシャトルを得るために、大径部と中径部との間に第３のテーパ状肩部を備えることを特徴としている。
【００１４】
また、本発明は、カートリッジ固定手段が、カートリッジの後端部のネジを係合させてカートリッジをカートリッジシャトルに固定させるために、カートリッジシャトルの後部の比較的小径の部分に内部ネジから成ることを特徴としている。
【００１５】
また、本発明は、アンカーブシュが一端に内部ネジを備え、アンカーブシュの一端の内部ネジに固定され、カートリッジの筆記先端部の出し入れが内部で行われる中空の筆記具先端部を備えることを特徴としている。
【００１６】
また、本発明は、アンカーブシュの周辺に係合され、筆記具先端部によってアンカーブシュに保持されるペン胴部を備えることを特徴としている。
【００１７】
また、本発明は、内部螺旋部が駆動部周囲に延設され、また螺旋溝が傾斜側面を有し、カートリッジシャトルの大径部周囲に延設されていることを特徴としている。
【００１８】
また、本発明は、偏倚手段が駆動部とアンカーブシュとの間に係合し、折り畳まれた少なくとも１つの中間コイルを有するバネから成ることを特徴としている。
【００１９】
また、本発明は、駆動部がバネの一端部に係合する環状リッジを備え、バネの他端部はアンカーブシュに係合し、対向する２つの端部はバネを折り畳んだコイルとされていることを特徴としている。
【００２０】
その好適な実施例において、本発明は、四部分及び減衰流体（ｄａｍｐｉｎｇｆｌｕｉｄ）、ボールペン即ち筆記具機構を具備しており、ボールペン即ち筆記具機構は、基準となる固定軸部を形成し回転防止カップリングの一部を有する一部材の合成材アンカーブシュと、カップリングの他部を有し回転せず軸方向に移動可能となるようアンカーブシュに取り付けられた一部材の合成材カートリッジシャトルとを含んでいる。カートリッジシャトルは、互いに離れて対向する端部を有する外部螺旋溝を備える大径中央部を有する。一部材の金属駆動部は、アンカーブシュに回転可能に取り付けられており、カートリッジシャトルの周囲を回転するように設置されている。駆動部は、その回転によりカートリッジシャトルが回転せずに軸方向に移動するようカートリッジシャトルの螺旋溝と係合する内部螺旋部を有する。一部材のシャトルはまた、その外端部に例えばボールペンや他の筆記具カートリッジを収容し固定するための内部ネジ部等の係合手段を含んでおり、筆記具カートリッジは中空のアンカーブシュを貫通し、かつこのアンカーブシュ周囲に固着されるペン胴の端部を通過している。機械的圧縮バネは、合成材アンカーブシュあるいはアンカーブシュの上に載置されるワッシャと内部改造領域となる駆動部の環状リッジとの間に係合される。ここで、環状リッジは、組立過程の間に金属製の駆動部に形成され、ビード溶接や穴開け等の公知の金属加工法で既存の駆動部材料を内方向に変形することで得られる。また、駆動部の最大径部の螺旋部側に近接して形成される別の環状リッジ即ち内部環状リッジは、カートリッジシャトル止め部として機能する。
【００２１】
また、本発明の筆記具機構の組立方法は、内部螺旋部と大径部に極めて近い径の内部環状リッジとを備える中空の駆動部を設ける段階と、最初に駆動部に入れられる後部の比較的小径の端部と、カートリッジを引っ込める際にカートリッジシャトルが当接して止まる肩部によって後部から分離されている大径部と、内部螺旋部と係合する大径部周囲の螺旋溝とを備え、また螺旋溝に減衰流体を塗布した一部材の平滑な合成材による中空のカートリッジシャトルを、中空の駆動部の内側に差し入れて係合させる段階と、バネを保持する駆動部周囲の環状リッジを形成する段階と、バネを駆動部内部と前記カートリッジシャトル周辺に差し入れる段階と、環状溝を有する一部材の平滑な合成材による中空のアンカーブシュを駆動部に差し入れ、またシャトルに係合させる段階と、アンカーブシュを駆動部に回転可能に載置しまた軸方向に固着させるよう、他のリッジを駆動部及びアンカーブシュの環状溝内に形成する段階とで構成している。
【００２２】
また、本発明の筆記具機構の組立方法において、アンカーブシュとカートリッジシャトルとを回転せずに軸方向に係合させるようアンカーブシュの後方内部多角部を係合させる前方多角部を備えるカートリッジシャトルの小径部に、バネの内径との間の隙間を設ける段階と、不良の無いカートリッジシャトルを製造し、またバネの差し入れを容易にするために、カートリッジシャトルの中径部と前方多角部との間に第２テーパ状肩部を設ける段階とを更に備えることを特徴としている。
【００２３】
また、本発明の筆記具機構の組立方法において、駆動部にアンカーブシュを差し入れる前にバネとアンカーブシュとの間にワッシャを配置するために、駆動部にワッシャを差し入れる段階を含むことを特徴としている。
【００２４】
また、本発明の筆記具機構の組立方法において、カートリッジシャトルを駆動部へ差し入れた後に内部螺旋部上へ記螺旋溝を係合するために、カートリッジシャトルを回転させる段階を含むことを特徴としている。
【００２５】
この四部分機構の製造方法には、製造作業の異なる時点において様々なリッジと螺旋部とを金属製駆動部に形成する手順が含まれる。製造作業は、部品が少数であることにより容易である。
【００２６】
本発明を特徴づける新規性の様々な特色は、本開示に付属しました本開示の一部を形成する特許請求の範囲で詳細に指摘される。本発明、その操作の長所、その使用により達成される明確な目的をより良く理解するために、本発明の実施例を示す添付図面及び説明書類が参照される。
【００２７】
【発明の実施の形態】
図に具体的に示すように、図１から１４に本発明をボールペンに実施した場合の形態の一例を示す。本発明は、本機構の基準となる固定軸部を形成するアンカーブシュ１２を備えており、これは図１に示すようにペンの外面を形成する表胴部たるペン胴部１４で覆われている。
【００２８】
ボールペンのカートリッジ（ｃａｒｔｒｉｄｇｅ）１６は、アンカーブシュ（ａｎｃｈｏｒ  ｂｕｓｈｉｎｇ）１２内で回転せずに軸方向に移動可能である。カートリッジ１６のカートリッジトップ（ｃａｒｔｒｉｄｇｅ  ｔｏｐ）１８は、図２に示すようにアンカーブシュ１２の多角開口部２６内で回転せず軸方向に移動可能となるよう取り付けられた前部多角端部２２を有するカートリッジシャトル（ｃａｒｔｒｉｄｇｅ  ｓｈｕｔｔｌｅ）２０に、例えばネジ部４２等で固定される。外部螺旋溝３０は、カートリッジシャトル２０の中程近くかつカートリッジシャトル２０の大径部３２で、カートリッジシャトル２０の外面に設けられている。外部螺旋溝３０は、図１３に示すように、カートリッジシャトル２０の周囲に形成されている。
【００２９】
中空の駆動部（ｄｒｉｖｅｒ）たる金属製のペン機構駆動部３４は回転可能にアンカーブシュ１２に取り付けられているが、軸方向に固定されており、またカートリッジシャトル２０の外部螺旋溝３０に螺合する内部螺旋部２８を有している。また駆動部３４は、カートリッジ１６を引き込ませる際にカートリッジシャトル２０を止める環状リッジ（ａｎｎｕｌａｒ  ｒｉｄｇｅ）即ち内部環状リッジ６９も有している。図４，５，７，８を参照すること。したがって、駆動部３４の回転により、アンカーブシュ１２内でカートリッジシャトル２０が軸方向に動くので、ペンカートリッジ１６のペン先端部（ｐｅｎ  ｔｉｐ）４０の出し入れが可能になる。図１は、飛び出し位置にあるペンを示している。
【００３０】
従来例、特にＥｌｌｅｒｙ  Ｂｏｓｓ氏の米国特許２，７５３，８４４よりも優れる本発明の重要な特徴は、以下の通りである。
【００３１】
本発明は、一端部において六角または他の非回転式係合要素たる前方多角部即ち非円形前部２２を形成する平滑表面を有し、他端部においてカートリッジ固定手段を構成するネジ部や他のカートリッジ係合要素（本実施例では内部ネジ）４２を有する一部材の平滑な合成材（例えば、ＤｕＰｏｎｔ社のアセタール樹脂の商標であるＤＥＬＲＩＮ５００）によるカートリッジシャトル２０と、螺旋溝３０を有する中央大径部３２とを使用している。
【００３２】
一部材のカートリッジシャトル２０は、カートリッジ１６を収容するために中空となっている。
【００３３】
テーパ状領域５２及び５３は、これらの間にカートリッジシャトル２０の前方小径部５７を挟んで、一部材のカートリッジシャトル２０に設けられており、カートリッジ１６が飛び出したときに前方小径部５７とバネ４８との間に隙間が生じるようにしてある。またテーパ状領域５２，５３はカップリング２２と後方中径領域５９との間に設けられているので、カートリッジシャトル２０の成形とカートリッジシャトル２０上へのバネ４８の差し入れが容易になる。
【００３４】
また、本発明は、４４の部分でペン胴部１４に係合する前方テーパ状端部と、カートリッジシャトル２０を回転せずに軸方向に移動させるための結合手段を構成する六角または他の収容要素２６を有する後端部とを備える一部材の平滑な合成樹脂（例えば、ＤＥＬＲＩＮ５００）によるアンカーブシュ１２を備えている。また、アンカーブシュ１２は、回転可能に駆動部３４を受け支えるため、図１０の４６に示す外部環状溝で凹まされている。駆動部３４はアンカーブシュ１２に対して回転可能であるが、組立過程で形成された環状リッジ４７によりアンカーブシュ１２に保持されているので軸方向には移動できない。
【００３５】
一部材の金属ペン機構駆動部３４は、内部螺旋リッジ（内部螺旋部）２８を形成する螺旋状へこみ部と内部環状リッジ６９を形成する環状へこみ部とを有しており、内部環状リッジ６９はカートリッジ１６を引っ込める際にカートリッジシャトル２０が当接して止められる。２８の部分は、へこみ即ち内部環状リッジ６９に通じている。製造時に、カートリッジシャトル２０は、駆動部３４の螺旋リッジ２８上に差し入れられ、溝３０で螺旋リッジ２８と係合される。環状リッジ即ち内部改造領域５４は、駆動部３４に形成されている。偏倚手段を構成するバネ４８は駆動部３４の内部に差し入れられ、駆動部３４の環状リッジ５４に摺動可能に係合する。バネ４８の他方の端部は、アンカーブシュ１２の端部５０と係合する。機械を使用してアンカーブシュ１２を駆動部３４に挿入し、また駆動部３４をアンカーブシュ１２に回転可能に係合させ、またアンカーブシュ１２と駆動部３４との間で相対回転が生じるよう駆動部３４に環状リッジ４７を形成する。
【００３６】
機械バネ４８の後端部は環状リッジ５４に回転することなく係合し、前端部はワッシャ５５と共にあるいは無しで合成材のアンカーブシュ１２の端部５０に係合する。これにより、ペンの平滑な作動が維持される。
【００３７】
駆動部３４の後端部には、図４，５，６に示す複数、例えば３つの隆起リブ６０が設けられており、これらはペンキャップ（図示せず）の内径に押し込まれて係合される。リブ６０とキャップとの係合は、キャップの回転により駆動部３４が回転するよう十分に強固なものとされている。
【００３８】
図２に示すように、外部螺旋溝３０は、図４，５，７に示す内部螺旋リッジ２８の内面にしっかりと適合する。駆動部３４の内面と合成材のカートリッジシャトル２０の外面との係合により、駆動部３４を大きな力で回転させることなく、筆記機構を平滑かつ効果的に出し入れさせることができる。内部螺旋リッジ２８の各横面即ち各側面は、図７の角度Ａに示すように本機構の縦軸に対しそれぞれ約３０°である。
【００３９】
図１１に示すように、カートリッジシャトル２０はまた、カートリッジシャトル２０の内径が後部側よりも前部側の方でカートリッジシャトル後部で小さくなるような内部傾斜段２１を有している。段２１は、約２０°の角度Ｂで傾斜している。これにより、成形中のカートリッジシャトル２０に不良を生じさせないようにするために外径を変えても、カートリッジシャトル２０の壁面内での移動は滑らかになる。ペン胴部１４の前端部に固定された筆記具先端部たるペン胴先端部４１も、アンカーブシュ１２に、例えばネジ、接着剤、この両者、挟み止め、超音波等で固着されている。
【００４０】
図１４に示すように、バネ４８の中央コイル６４は故意に折り畳まれており、またバネ４８の一端部並びに他端部を構成する端部コイル６６及び６８は閉じられて軸方向に対して直角な平面になっている。折り畳まれた中央コイル６４により、バネ４８のからまりが減少する。また、係合面、つまり内部改造領域たる内部環状リッジ５４とアンカーブシュ１２の端部５０とに対して平行に拡張する端部コイル６６及び６８は閉じて平らになっていることによっても、からまりは減少する。
【００４１】
更に、図４及び図５に示すように、駆動部３４の中央大径部の内外面は、カートリッジシャトル２０を平滑に挿入できるよう３５の部分で傾斜している。駆動部３４にカートリッジシャトル２０を差し入れた場合、カートリッジシャトル２０は駆動部３４の内部で固定されることはなく、逆に駆動部３４との間に僅かな隙間を有してかすめられる。
【００４２】
図１５を参照すると、本機構の組立は、ターンテーブル１０２の周囲に装置を配備した１００で示される機構組立装置を使用して行われる。１１０で示す第１の装置は、駆動部３４のマガジン式供給装置を備えている。装置１１２は、第１及び第２のリッジ５４，４６が形成される前に、図４及び図５に示す状態を保ちながら駆動部３４に挿入即ち差し入れられるカートリッジシャトル２０のボウル式供給装置である。駆動部３４は、図３に示す未加工の状態から、筆記具機構組立装置１００の一部以外の装置によって、図４及び図５に示すようにリブ６０、内部螺旋リッジ即ち螺旋部２８、内部環状リッジ６９が形成される。
【００４３】
装置１１４では、グリース、重油、または他の減衰材料が螺旋溝３０に塗布される。装置１１６は、螺旋部２８が螺旋溝３０と係合するようカートリッジシャトル２０を駆動部内で回転させる。装置１１７では、駆動部３４に環状リッジ５４が形成されて、バネ取付座が作られる。装置１１８により、バネ４８がカートリッジシャトル２０の周囲及び駆動部３４の内部に差し込まれる。装置１２２では、回転防止カップリング２６及び２２が互いに係合するようアンカーブシュ１２が駆動部３４に挿入される。装置１２４は駆動部３４に環状リッジ４７を形成し、アンカーブシュ１２と駆動部３４との間で相対回転が生じるよう（例えば、アセタールでの金属摺動）アンカーブシュ１２を軸方向に駆動部３４へ固定させる。ワッシャ５５を使用するのであれば、装置１２０はアンカーブシュ１２を挿入する前にワッシャ５５を挿入させる。
【００４４】
装置１２６でトルク試験を行い、装置１２８でペンに日付を刻印する。装置１３０は不良品を検出してこれを回収する。そして、合格判定を受けたペン機構は、ターンテーブル１０２から装置１３２へ送られる。
【００４５】
装置１００の個々の構成要素は全て、当業者には公知である。本発明の重要な面は、本発明の簡素化された機構によって可能となる製造工程の順序である。
【００４６】
本発明の一実施例を詳細に図示及び説明して本発明の原理の摘要を図解したが、このような原理から逸脱することなければ他の手段でも本発明の具体化が可能であることは言うまでもない。
【図面の簡単な説明】
【図１】本発明の機構を利用したボールペンを示す一部を切断した側面図である。
【図２】本発明の四部分機構を示す図で、（Ａ）は全体を示す縦断面図、（Ｂ）は（Ａ）の機構の一部を拡大図である。
【図３】本発明の方法によって形成される前の金属製駆動部の部分断面側面図である。
【図４】カートリッジの駆動に使用される駆動部の内部螺旋部を示す縦断面図である。
【図５】内部螺旋部及びカートリッジシャトル止め部の外形を示す駆動部の側面図である。
【図６】図５におけるVI−VI線の横断面図である。
【図７】内部螺旋部の拡大断面図である。
【図８】図５におけるVIII−VIII線の断面図である。
【図９】本機構のバネを係合する駆動部の環状リッジの拡大断面図である。
【図１０】本発明のアンカーブシュと、駆動部をアンカーブシュに軸方向に固定させて回転させる駆動部の環状リッジとの一部を示す拡大断面図である。
【図１１】本機構の一部を形成するカートリッジシャトルの一部を示す拡大断面図である。
【図１２】カートリッジシャトルの外部螺旋溝の拡大縦断面図である。
【図１３】カートリッジシャトルの外部螺旋溝の一端を示す拡大横断面図である。
【図１４】本発明の機構の一部を形成する圧縮バネの側面図である。
【図１５】自動手順で本機構を組み立てる自動機械化装置の平面図である。
【符号の説明】
１２  中空のアンカーブッシュ
１４  ペン胴部
１６  カートリッジ
２０  カートリッジシャトル
２２  結合手段を構成するカートリッジシャトルの非円形全部たる前方多角部２６  結合手段を構成するアンカーブシュの後方内部多角部たる多角形開口部
２８  駆動部の内部螺旋部（螺旋リッジ）
３０  カートリッジシャトルの大径部の螺旋溝
３２  カートリッジシャトルの大径部
３４  駆動部
４０  筆記先端部（ペン先端部）
４１  筆記先端部（ペン胴先端部）
４２  カートリッジシャトルの後部の内部ネジ
４６  アンカーブシュの環状溝
４７  アンカーブシュの環状溝に係合する駆動部の環状リッジ
４８  偏倚手段を構成するバネ
５３  カートリッジシャトルの中径部のテーパ状肩部
５４  偏倚手段を構成する内部改造領域たる環状リッジ
５５  偏倚手段を構成するワッシャ
５７  カートリッジシャトルの小径部
５９  カートリッジシャトルの中径部
６４  中間コイル
６６  バネの一端部
６８  バネの他端部
６９  駆動部のカートリッジシャトルと当接する内部環状リッジ
【図１】
0003740517.tif 000002
【図２】
0003740517.tif 000003
【図３】
0003740517.tif 000004
【図４】
0003740517.tif 000005
【図５】
0003740517.tif 000006
【図６】
0003740517.tif 000007
【図７】
0003740517.tif 000008
【図８】
0003740517.tif 000009
【図９】
0003740517.tif 000010
【図１０】
0003740517.tif 000011
【図１１】
0003740517.tif 000012
【図１２】
0003740517.tif 000013
【図１３】
0003740517.tif 000014
【図１４】
0003740517.tif 000015
【図１５】
0003740517.tif 000016